(57)【要約】【課題】髪が顔に掛かったり、片手が塞がったりするなどの不便さを生じさせることなく、汗を抑えて化粧をすることができる化粧用鏡、及び、扇風機を提供することを課題とする。【解決手段】扇風機２０の前面に鏡面を有する鏡本体１２を取り付ける取付部１４が備えられていることを特徴とする化粧用鏡１０を提供する。【選択図】  図１
0003124394.tif 000002
【実用新案登録請求の範囲】
【請求項１】
鏡面を有する鏡本体を、扇風機の前面に取り付ける取付部を備えていることを特徴とする化粧用鏡。
【請求項２】
前記取付部は、前記鏡本体の後面に備えられており、且つ、前記扇風機の前面に設けられたガードに係脱可能な係止部材である請求項１に記載の化粧用鏡。
【請求項３】
前記ガードは、風の通る開口が形成されたガード本体と、前記ガード本体の略中央部に設けられた板体とを備え、
前記取付部は、前記鏡本体が前記板体に重なるように、前記扇風機のガードに係脱可能である請求項２に記載の化粧用鏡。
【請求項４】
前記鏡本体に、鏡面を覆う開閉可能なカバーが設けられ、前記カバーは、板状に形成され、且つヒンジ部を介して鏡本体に対して回動自在に取り付けられており、前記カバーは、開状態に於いて、その板面を扇風機の送風方向に対して平行な状態に維持する姿勢維持手段を備えている請求項１〜３のいずれかに記載の化粧用鏡。
【請求項５】
扇風機の前面に化粧用鏡を備えていることを特徴とする化粧用扇風機。
【請求項６】
前記化粧用鏡が、鏡面を有する鏡本体と、前記鏡面を覆う開閉可能なカバーとを備えている請求項５に記載の化粧用扇風機。
【請求項７】
前記カバーは、板状に形成され、且つヒンジ部を介して鏡本体に対して回動自在に取り付けられており、前記ヒンジ部を介して回動させることで開くことができ、
前記カバーは、開状態に於いて、その板面を扇風機の送風方向に対して平行な状態に維持する姿勢維持手段を備えている請求項６に記載の化粧用扇風機。
【考案の詳細な説明】
【技術分野】
【０００１】
本考案は、化粧用鏡及び化粧用扇風機に関する。
【背景技術】
【０００２】
暑い時期に化粧をする場合、顔に汗が出て、化粧がうまく馴染まないことが多い。そこで、暑い時期など、顔に汗が出易いときには、扇風機の風に当たりながら化粧をすることがよく行われている。
【０００３】
ところで、化粧は、通常、洗面台や鏡台に設置された化粧用鏡の前で行われる。そのため、顔の正面に扇風機を置くと、化粧用鏡が見難くなるので、化粧の際には、扇風機は顔の斜め前方や横に置かれる。しかし、顔の斜め前方や横に扇風機を置くと、扇風機の風で靡いた髪が顔にかかり、不快感を覚えたり、髪が邪魔となって化粧し難くなったりする。
また、手鏡を使用すれば、顔の正面に扇風機を置いて化粧をすることができるが、手鏡を持つ片手が塞がるので、化粧をうまくできない。
【考案の開示】
【考案が解決しようとする課題】
【０００４】
そこで、本考案は、髪が顔に掛かったり、片手が塞がったりするなどの不便さを生じさせることなく、汗を抑えつつ両手で化粧をすることができる化粧用鏡、及び化粧用扇風機を提供することを課題とする。
【課題を解決するための手段】
【０００５】
第１の手段として、本考案は、鏡面を有する鏡本体を、扇風機の前面に取り付ける取付部を備えている化粧用鏡を提供する。
ここで、扇風機の前面とは、扇風機の作動によって生じる風が送られる側をいう。
上記化粧用鏡は、鏡面を有する鏡本体を扇風機の前面に取り付ける取付部を備えているので、扇風機の前面に鏡本体を取り付けることができる。このように化粧用鏡を扇風機に取り付けると、化粧用鏡を片手で持つ必要がなく、さらに、扇風機を顔の正面に置いても、鏡面が見難くならない。よって、鏡面が十分に見える状態で、扇風機の風を顔の正面に受けつつ両手で化粧を行うことができる。また、扇風機を顔の正面に置いて化粧できるので、扇風機の風によって靡いた髪が顔に掛かったりすることも防止できる。
鏡本体を扇風機の前面に取り付ける具体的構成として、前記取付部は、前記鏡本体の後面に備えられ、且つ、前記扇風機の前面に設けられたガードに係脱可能な係止部材とする構成を挙げることができる。
【０００６】
また、前記ガードは、風の通る開口が形成されたガード本体と、前記ガード本体の略中央部に設けられた板体とを備え、前記取付部は、前記鏡本体が前記板体に重なるように、前記扇風機のガードに取り付ける構成とされることが好ましい。
上記化粧用鏡は、鏡本体を板体に重なるように取り付けることができるので、ガードの開口から送出される風が鏡本体によって妨げられず、且つ鏡本体が風によって揺れることなく、使用できる。
【０００７】
また、第２の手段として、本考案は、扇風機の前面に化粧用鏡を係止可能な係止部材が備えられていることを特徴とする化粧用扇風機を提供する。
このように、化粧用鏡を係止する係止部材を有する化粧用扇風機は、扇風機の前面に化粧用鏡を取り付けることができ、上記第１の手段と同様の効果を得ることができる。
【０００８】
また、第３の手段として、本考案は、扇風機の前面に化粧用鏡を備えていることを特徴とする化粧用扇風機を提供する。
このように、化粧用鏡が扇風機の前面に備えられている化粧用扇風機は、上記第１の手段及び第２の手段のように、同様の効果を得ることができる。
また、上記化粧用扇風機は、化粧用鏡が、鏡面を有する鏡本体と、前記鏡面を覆う開閉可能なカバーとを備えていてもよい。かかるカバーを備えることで、不使用時には鏡面を保護し、例えば、鏡面にキズが入ることを防止することができる。
このようなカバーは、板状に形成され、且つヒンジ部を介して鏡本体に対して回動自在に取り付けられ、ヒンジ部を介して回動させることで開くことができ、前記カバーは、開状態に於いて、扇風機の送風方向に対して平行な状態に維持する姿勢維持手段を備えている構成とすることもできる。
上記カバーは、ヒンジ部を介して回動自在なので、簡単にカバーを開けて鏡本体の鏡面を露出させることができる。
この板状のカバーは、開状態に於いて、その板面が送風方向に対して平行に維持できることから、該板状のカバーは、扇風機の風を受けて揺らぎ難く、不用意にカバーが閉まることを防止できる。
【考案の効果】
【０００９】
本考案の化粧用鏡及び化粧用扇風機を用いれば、扇風機の風を正面に受けながら両手で以て化粧をすることができる。従って、扇風機の風を受けて靡く髪が顔に掛かりにくく、汗を抑えながら両手で化粧を行うことができる。
【考案を実施するための最良の形態】
【００１０】
（実施形態１）
以下、本考案について、図面を参照しつつ具体的に説明する。
図１及び図２に示すように、本実施形態に係る化粧用鏡１０は、鏡面を有する鏡本体１２と、該鏡本体１２を扇風機２０の前面に取り付けるための取付部１４と、を備えている。
【００１１】
具体的には、図２に示すように、鏡面を有する鏡本体１２は、ガラス体１２１と、ガラス体１２１の後面に積層された反射膜１２２とを備えている。反射膜１２２は、金属など反射性のよい材質で形成されている。鏡本体１２は、ガラス体１２１の前方（反射膜１２２と反対側）から当該鏡本体１２に映った顔を見ることができる。
鏡本体１２の正面視における形状は、図２（ａ）に示すように、円形状とされているが、これに限定されず、例えば楕円形、四角形などの多角形等に形成してもよい。
【００１２】
本実施形態の化粧用鏡１０は、鏡本体１２を保持するための枠体１３を備えている。枠体１３は、中央部が凹状に形成されており、鏡本体１２は、反射膜１２２を枠体１３側に向けて、枠体１３に嵌め込まれ、接着剤等によって固定されている。枠体１３の材質は、特に限定されず、木、金属、プラスチック等を用いることができ、また、枠体１３の外面には、化粧用鏡１０に装飾性を付与するための意匠印刷を施すことができる。
【００１３】
取付部１４は、鏡本体１２の後面に備えられている。本実施形態では、鏡本体１２が枠体１３に固定されているため、取付部１４は、枠体１３の後面側（鏡本体１２と反対側）に設けられ、この枠体１３を介して鏡本体１２の後面に備えられている。
この取付部１４の数は、特に限定されないが、取付け安定性の観点から複数箇所に設けることが好ましい。本実施形態では、図２（ａ）に示すように、取付部１４は、２箇所設けられている。かかる取付部４は、扇風機２０のガード２５（図１参照）に係脱可能な係止部材で構成されている。かかる係止部材としては、ガード２５の一部分に上方から嵌め込んで引掛けるフック部材などが例示される。該フック部材１４としては、図２に示すように、例えば、帯板状の部材を２箇所で９０°ずつ折り曲げて作製されたものなどが挙げられる。
かかるフック部材１４は、下部が枠体１３の後面側上部に固定され、且つ上方に延びる第１部分１４１と、第１部分１４１の上端部から後方に水平方向に延出された第２部分１４２と、第２部分１４２の延出端部から下方に延びる第３部分１４３とから構成されている。
尚、フック部材は、帯板状の部材を加工したものに限定されず、円柱状部材、角柱状部材、中空状部材等を使用することもできる。
また、フック部材は、上記のように、２箇所で９０°ずつ折り曲げた形状に限定されず、例えば、１箇所又は複数箇所を鋭角状又は鈍角状に折り曲げた形状や、略逆Ｕ字状等に形成してもよい。
【００１４】
本考案の化粧用鏡１０は、従来公知の扇風機２０に取り付けることができる。
扇風機としては、例えば、図１に示すように、ベース２１と、ベース２１に立設された支柱２２と、支柱２２の上部に支持されたモータ部２３と、モータ部２３の前方に設けられた回転羽２４と、回転羽２４の前面を含む周囲全体に形成されたガード２５と、を備える扇風機が挙げられる。
【００１５】
モータ部２３は、モータ本体２３１と、モータ本体部２３１に回転駆動され、モータ本体２３１から前方に突出した回転軸２３２とを備える。
【００１６】
回転羽２４は、放射状に羽２４１が配置され、中心部２４２が回転軸２３２に取り付けられている。回転羽２４は、回転軸２３２を介してモータ本体２３１によって回転駆動される。回転羽２４が回転することにより、前方への風が送られる。
【００１７】
ガード２５は、ガード本体２５１と板体２５６とを備える。
ガード本体２５１は、回転羽２４の前面を含む周囲全体に形成され、風の通る開口２５４が形成されている。
ガード本体２５１は、回転羽２４の周囲全体の前半分に形成される前部２５１ａと、かかる前部２５１ａと分離可能に接合され、回転羽２４の周囲全体の後半分に形成される後部２５１ｂとを備えている。前部２５１ａと後部２５１ｂとは、椀状に形成されている。これらは、回転軸２３２の軸芯部を中心にして放射状に設けられた細線部材２５２と、各細線部材２５２の外側端部を接合するリング部材２５３とを備えている。
細長部材２５２は、所定の隙間をおいて配置されており、細線部材２５２間は、前記開口２５４とされている。
さらに、後部２５１ｂは、内側端部がモータ部２３に支持されている。このように後部２５１ｂがモータ部２３に支持されることで、ガード本体２５１全体がモータ部２３に支持されている。
【００１８】
一方、板体２５６は、ガード本体２５１の前面に位置するように、前部２５１ａの中心部に取り付けられている。
板体２５６の正面形状は、例えば、図３に示すように、円形状に形成されている。尚、板体２５６の形成は、円形状に限定されるものでなく、楕円形、多角形等に形成されている扇風機２０に本考案の化粧用鏡１０を取り付けることもできる。
本考案の化粧用鏡１０は、該化粧用鏡１０の枠体１３よりも正面形状が大きく形成された板体２５６を備える扇風機２０に取り付けることが好ましい。
【００１９】
本考案の化粧用鏡１０は、上記のような扇風機２０の前部２５１ａの開口２５４に、フック部材１４を差込み、図１に示すように、扇風機２０の板体２５６の上端部にフック部材１４（第２部分１４２）を係止させることで、扇風機２０の前面に取り付けることができる。該化粧用鏡１０を取り外す際には、化粧用鏡１０を上方に持ち上げて、フック部材１４の板体２５６に対する係合を解除しつつ、フック微罪１４を前方に抜き出すことで、化粧用鏡１０を扇風機２０の前面から取り外すことができる。
【００２０】
このように、扇風機２０の前面に化粧用鏡１０を取り付ければ、当該扇風機２０を顔の正面に置いても、鏡面が見難くならない。よって、扇風機２０を顔の正面に置けば、鏡面が十分に見える状態で、扇風機２０の風を顔の正面から受けることができる。風を顔の正面から受けると、風で靡いた髪が顔にかかり難くなる。また、化粧用鏡１０を扇風機２０に取り付けることで、両手で化粧を行うことができる。
よって、本実施形態の化粧用鏡１０を用いれば、髪が顔に掛かって不快感を覚えたり、或いは、髪が化粧の邪魔となったり、片手が塞がったりするなどの不便さを生じさせることなく、汗を抑えて化粧を良好に行うことができる。
【００２１】
また、本実施形態では、化粧用鏡１０は、その鏡本体１２がガードの板体２５６に重なるように取り付けることができるので、送出される風が鏡本体１２で妨げられず、従って、扇風機２０の風が顔に効率良く当って汗が抑えられる。また、鏡本体１２が風で揺れることを防止できる。
【００２２】
本実施形態では、使用時、化粧用鏡１０を扇風機２０の板体２５６に係止しているが、化粧用鏡１０は、板体２５６に係止する場合に限られず、鏡本体１２が扇風機２０の前面に位置するように、扇風機２０の適宜に箇所に取り付けて使用できる。例えば、化粧用鏡１０は、取付部１４を介して、ガード本体２５１の細線部材２５２やリング部材２５３などに係止させてもよい。また、ガード２５が、ガード本体２５１や板体２５６を覆う防護ネットを備える場合は、当該防護ネットに化粧用鏡１０を係止してもよい。さらに、取付部１４は、上記のようなフック部材に限られず、例えば、ガード本体２５１の細線部材２５２に嵌着可能な略Ｃ字状の部材などであってもよい。
また、例えば、前部２５１ａのリング部材２５３の下端部に化粧用鏡１０を係止すれば、化粧用鏡１０をガード２５１の下方に取り付けることができ、開口２５４から送出される風を妨げることなく鏡本体１２を扇風機２０の前面に取り付けることができる。
【００２３】
また、本実施形態では、取付部１４は、フック部材によって構成され、フック部材の係止によって、鏡本体１２（化粧用鏡１０）を扇風機２０の前面に取り付けているが、取付部１４は、フック部材の係止に限られず、種々に変更できる。
例えば、取付部１４は、磁力によって、鏡本体１２を扇風機２０の前面に取り付けることが可能な構成でもよい。一例として、板体２５６又はガード本体２５１が、鉄などの磁性体材料から構成されている扇風機２０に取り付ける場合、化粧用鏡１０の取付部１４として磁石を採用することができる。該磁石は、例えば、鏡本体１２の後面側（枠体１３の後面など）に具備させることで、これを取付部１４として利用できる。
また、取付部１４は、例えば、化粧用鏡１０に設けられた板体２５６又はガード本体２５１と貼着可能な粘着シートなどによって構成してもよい。また、粘着シートに代えて、例えば面ファスナーを用いてもよい。
化粧用鏡１０の扇風機２０に対する取付けを更に確実にするため、構成の異なる２種以上の取付部１４を化粧用鏡１０に具備させることもできる。例えば、取付部１４が、上記フック部材と磁石による磁着とによって構成され、両取付部１４を介して、鏡本体１２を扇風機２０の前面に取り付けることができるものであってもよい。
【００２４】
（実施形態２）
本実施形態は、化粧用鏡を係止する係止部材が設けられた化粧用扇風機に関する。以下、主として、上記各実施形態と異なる構成及び効果について説明し、同様の構成及び効果については、その説明を省略し、図番などを援用する場合がある。
本実施形態の化粧用扇風機２０は、図４に示すように、化粧用鏡１０を係止して扇風機の前面に取り付ける係止部材２５７が設けられている。該係止部材２５７は、例えば、板体２５６に設けられている。
係止部材２５７は、図４（ａ）に示すように、板体２５６から前方に向かって水平方向に突設された直線状の部材、図４（ｂ）に示すように、先端がＵ字状に形成された部材、図４（ｃ）に示すように、先端の３箇所が９０度ずつ折り曲げられた部材などが挙げられる。尚、図４（ａ）に示すように、化粧用鏡１０の脱落防止のために、係止部材２５７の先端部には、大径に形成された膨出部２５８が設けられていてもよい。係止部材２５７の数は、特に限定されず、２以上であってもよい。
【００２５】
このような係止部材２５７に係止される化粧用鏡１０は、基本的に、上記実施形態１で例示したものと同様であるが、扇風機２０の係止部材２５７に係止される被係止部が設けられている。具体的には、本実施形態の化粧用鏡１０は、実施形態１で示した取付部１４が設けられておらず、図５に示すように、被係止部として、例えば、枠体１３の上部に貫通孔１５が設けられている。
当該貫通孔１５の径は、上記係止部材２５７（膨出部２５８を有する場合には膨出部２５８）に挿通可能なように、これよりも大径に形成されている。
【００２６】
化粧用鏡１０は、貫通後５を係止部材２５７に通すことで、化粧用扇風機２０の前面に取り付けられる（図４（ａ）参照）。
【００２７】
本実施形態に係る化粧用扇風機２０も、係止部材２５７に化粧用鏡１０（鏡本体１２）を取り付けて使用され、上記実施形態１記載と同様の効果が得られる。
【００２８】
本実施形態の化粧用扇風機２０においても、化粧用鏡１０の枠体１３よりも板体２５６を大きく形成すれば、該板体２５６に化粧用鏡１０を係止した際、ガード本体２５１の開口２５４から送出される風が枠体１３で妨げられない点は、上記実施形態１と同様である。
【００２９】
尚、係止部材２５７の設けられる箇所は、板体２５６に限定されるものでなく、例えば、ガードの前部２５１ａの細線部材２５２、リング部材２５３などに係止部材２５７が設けられていてもよい。例えば、図４（ａ）の点線で示すように、前部２５１ａのリング部材２５３の下端部から水平方向前方に係止部材２５７を突出するように設けると、化粧用鏡１０をガード２５１の下方に取り付けることができるので、開口２５４から送出される風を妨げずに鏡本体１２を化粧用扇風機２０の前面に取り付けることができる。
【００３０】
また、本実施形態では、扇風機２０の係止部材２５７に、化粧用鏡１０の貫通孔１５を挿通することにより、化粧用鏡１０を扇風機２０の前面に取り付ける構成について例示しているが、係止部材２５７に化粧用鏡２５７を係止できるものであれば、非貫通の孔（穴部）であってもよい。また、化粧用鏡１０は、孔が設けられているものに限られず、例えば、リング状に形成された紐状部材を有する化粧用鏡１０を用い、当該紐状部材を係止部材２５７に係止するようにしてもよい。
【００３１】
（実施形態３）
本実施形態は、カバーを備える化粧用鏡１０及び該カバーを備える化粧用鏡１０を備えている化粧用扇風機２０に関する。
以下、主として、上記各実施形態と異なる構成及び効果について説明し、同様の構成及び効果については、その説明を省略し、図番などを援用する場合がある。
【００３２】
本実施形態の化粧用鏡１０は、図６（ａ）に示すように、鏡本体１２に、鏡面を覆う開閉可能なカバー１５が設けられている。このカバー１５は、板状体で形成され、ヒンジ部１６を介して鏡本体１２に対して回動自在に取り付けられている。このカバー１５は、同図（ｂ）に示すように、開状態に於いて、その板面を扇風機の送風方向に対して平行な状態に維持する姿勢維持手段を備えている。
具体的には、化粧用鏡１０は、実施形態１と同様に鏡本体１２と鏡本体１２が嵌め込まれた枠体１３とを備えている。さらに、本実施形態の化粧用鏡１０は、鏡本体１２を覆う開閉可能なカバー１５と、該カバー１５を鏡本体１２に対して回動自在に取り付けるヒンジ部１６とを備えている。
【００３３】
カバー１５は、鏡本体１２のガラス体１２１を覆い、鏡本体１２を保護するもので、ヒンジ部１６を介して鏡本体１２に回動自在である。カバー１５は、板状体から構成されており、その一側端部にヒンジ部１６が構成されている。カバー１５の材質は、特に限定されず、木、金属、プラスチック等を用いることができ、また、カバー１５には、化粧用鏡１０に装飾性を持たすための意匠印刷を施すことができる。
【００３４】
ヒンジ部１６は、図６（ｃ）及び（ｄ）に示すように、枠体１３の一側端部に形成された円柱状部１６１と、カバー１５の一側端部に形成されたリング状部１６２とから構成され、円柱状部１６１がリング状部１６２に挿通されることで、両部１６１，１６２は互いに回動可能な構成とされている。かかるヒンジ部１６により、カバー１５が枠体１３に対して回転自在に構成されている。
【００３５】
さらに、円柱状部１６１の外周部には、２箇所の凹部１６１ａ、１６１ｂが周方向に所定間隔をあけて形成されている。一方、リング状部１６２の内周部には、凹部１６１ａ、１６１ｂとそれぞれ嵌合可能な凸部１６２ａが１箇所形成されている。この２箇所の凹部１６１ａ、１６１ｂは、円柱状部１６１の周方向に約９０度ずれた位置に形成されている。
上記カバー１５を回動させると、該カバー１５に形成されたリング状部１６２の凸部１６２ａが、円柱状部１６１のいずれか一方の凹部１６１ａ、１６１ｂに嵌合する。かかるヒンジ部１６に於ける凹凸嵌合によって、カバー１５の回動が阻止され、カバー１５の姿勢が維持される。
凸部１６２ａが、図示した一の凹部１６１ａに嵌合した状態では、カバー１５は、鏡本体１２の鏡面に沿った姿勢、すなわち、鏡本体１２を閉塞する姿勢に維持される。一方、凸部１６２ａが、図示した他の凹部１６１ｂに嵌合した状態では、カバー１５は、鏡本体１２の鏡面に対して垂直な姿勢に維持される。この姿勢のカバー１５は、鏡本体１２を開けた開状態であり、この状態で化粧用鏡１０を使用できる状態となる。
【００３６】
このような構成の化粧用鏡１０は、図７に示すように、その枠体１３が扇風機２０の前面となる板体２５６に取り付けられている。化粧用鏡１０は、上記実施形態１などで例示した取付部１４を設けることによって扇風機２０に取り付けることができる。
【００３７】
本実施形態の扇風機２０を使用して化粧をする場合は、カバー１５を開いて、凸部１６２ａを他の凹部１６１ｂに嵌合させて、鏡本体１２の鏡面を露出させる。凸部１６２ａと凹部１６１ｂの嵌合により、カバー１５の開状態において、カバーの姿勢が、送風方向に対して平行に維持される。従って、カバー１５によって風が遮られ難く、又、カバー１５が風を受けて閉じたり、或いは、化粧用鏡１０が風を受け揺れることも防ぐことができる。
【００３８】
尚、本実施形態も、扇風機の前面に取り付けられた化粧用鏡１０を用いて化粧をすることができるので、実施形態１の化粧用鏡１０と同様の効果を得ることができる。
【００３９】
また、本実施形態においても、化粧用鏡１０を板体２５６より小さく形成して、正面視において、化粧用鏡１０が板体２５６よりも外側に現れることがないようにしてもよい。
【００４０】
さらに、本実施形態においても、化粧用鏡１０が取り付けられる位置は、扇風機２０の板体２５６に限られず、実施形態１と同様に、例えば、扇風機２０のガード本体２５１などに取り付けることもできる。
また、本実施形態で示したカバーを備える化粧用鏡１０は、扇風機２０に着脱可能に取り付けられるものを示したが、例えば、該カバーを備える化粧用鏡１０を、扇風機の前面（例えば、ガードの板体やガード本体など）に固定的に設けることによって化粧用扇風機を構成することもできる。
【００４１】
（扇風機について）
上記実施形態１〜３の扇風機に代えて、例えば、下記のような構成の扇風機を用いることもできる。
【００４２】
図８に示すように、扇風機３０は、床面や洗面台などに載置される土台３１と、土台に立設された支柱３２と、支柱３２に支持されるケース体３３とを備える。
【００４３】
ケース体３３は、略直方体に形成されている。かかるケース体３３には、モータ（図示しない）と、回転軸を介してモータに回転駆動される回転羽３４とが収容されている。
ケース体３３の対向する２面３３１、３３２は開口されている。一方の面３３１が空気の取入口とされ、他方の面３３２が風の送出口とされている。回転羽３４が回転すると、取入口から空気が収容部３３内に取り入れられ、送出口から回転羽３４によって起こされた風が収容部３３外に送出される。
【００４４】
取入口には、収容部３３内に異物が入ることを防止するための複数の細線部材や、メッシュ状の部材等から形成されるガード３３３が設けられている。一方、送出口は、収容部３４内に異物が入ることを防止する機能と共に、回転羽３４によって起こされた風の向を調節する機能を備えた帯板状のガード３３４が設けられている。
このような扇風機３０においては、送出口側が扇風機の前面となる。
【００４５】
本実施形態の扇風機３０は、例えば、送出口のガード３３４に上記実施形態１で示した化粧用鏡１０の取付部１４を係止することにより、化粧用扇風機として使用できる。その他、本実施形態の扇風機３０は、上記実施形態２及び３に示した化粧用鏡１０を取り付けるなどして、化粧用扇風機として使用することができる。
【図面の簡単な説明】
【００４６】
【図１】実施形態１の化粧用鏡が扇風機の前面に取り付けられている状態を示す側面図である。
【図２】（ａ）は、実施形態１の化粧用鏡の正面図である。（ｂ）は、実施形態１の化粧用鏡の側面図である。
【図３】実施形態１の扇風機のガードの正面図である。但し、細線部材の一部を省略している。
【図４】（ａ）は、実施形態２の扇風機のガード本体の前部の側面図であり、板体に化粧用鏡を取り付けることを説明するための図である。（ｂ）は、係止部材の一例の側面図である。（ｃ）は、係止部材の他の例の側面図である。
【図５】実施形態２の化粧用鏡の正面図である。
【図６】（ａ）は、実施形態３のカバー付きの化粧用鏡の側面図である。（ｂ）は、同カバーを開けた状態の化粧用鏡の側面図である。（ｃ）及び（ｄ）は、図６（ａ）のヒンジ部の部分拡大図。
【図７】実施形態３の扇風機のガード本体の前部に、カバー付き化粧用鏡を取り付けた状態の側面図である。
【図８】扇風機の変形例を示す斜視図である。
【符号の説明】
【００４７】
１０  化粧用鏡
１２  鏡本体
１３  枠体
１４  取付部
１５  カバー
１６  ヒンジ部
２０，３０  扇風機
２５４  開口
２５６  板体
【図１】
0003124394.tif 000003
【図２】
0003124394.tif 000004
【図３】
0003124394.tif 000005
【図４】
0003124394.tif 000006
【図５】
0003124394.tif 000007
【図６】
0003124394.tif 000008
【図７】
0003124394.tif 000009
【図８】
0003124394.tif 000010
【手続補正書】
【提出日】平成18年6月6日(2006.6.6)
【手続補正１】
【補正対象書類名】明細書
【補正対象項目名】００１９
【補正方法】変更
【補正の内容】
【００１９】
本考案の化粧用鏡１０は、上記のような扇風機２０の前部２５１ａの開口２５４に、フック部材１４を差込み、図１に示すように、扇風機２０の板体２５６の上端部にフック部材１４（第２部分１４２）を係止させることで、扇風機２０の前面に取り付けることができる。該化粧用鏡１０を取り外す際には、化粧用鏡１０を上方に持ち上げて、フック部材１４の板体２５６に対する係合を解除しつつ、フック部材１４を前方に抜き出すことで、化粧用鏡１０を扇風機２０の前面から取り外すことができる。
【手続補正２】
【補正対象書類名】明細書
【補正対象項目名】００２２
【補正方法】変更
【補正の内容】
【００２２】
本実施形態では、使用時、化粧用鏡１０を扇風機２０の板体２５６に係止しているが、化粧用鏡１０は、板体２５６に係止する場合に限られず、鏡本体１２が扇風機２０の前面に位置するように、扇風機２０の適宜の箇所に取り付けて使用できる。例えば、化粧用鏡１０は、取付部１４を介して、ガード本体２５１の細線部材２５２やリング部材２５３などに係止させてもよい。また、ガード２５が、ガード本体２５１や板体２５６を覆う防護ネットを備える場合は、当該防護ネットに化粧用鏡１０を係止してもよい。さらに、取付部１４は、上記のようなフック部材に限られず、例えば、ガード本体２５１の細線部材２５２に嵌着可能な略Ｃ字状の部材などであってもよい。
また、例えば、前部２５１ａのリング部材２５３の下端部に化粧用鏡１０を係止すれば、化粧用鏡１０をガード２５１の下方に取り付けることができ、開口２５４から送出される風を妨げることなく鏡本体１２を扇風機２０の前面に取り付けることができる。
【手続補正３】
【補正対象書類名】明細書
【補正対象項目名】００３０
【補正方法】変更
【補正の内容】
【００３０】
また、本実施形態では、化粧用扇風機２０の係止部材２５７に、化粧用鏡１０の貫通孔１５を挿通することにより、化粧用鏡１０を化粧用扇風機２０の前面に取り付ける構成について例示しているが、係止部材２５７に化粧用鏡１０を係止できるものであれば、非貫通の孔（穴部）であってもよい。また、化粧用鏡１０は、孔が設けられているものに限られず、例えば、リング状に形成された紐状部材を有する化粧用鏡１０を用い、当該紐状部材を係止部材２５７に係止するようにしてもよい。
【手続補正４】
【補正対象書類名】明細書
【補正対象項目名】００４０
【補正方法】変更
【補正の内容】
【００４０】
さらに、本実施形態においても、化粧用鏡１０が取り付けられる位置は、化粧用扇風機２０の板体２５６に限られず、実施形態１と同様に、例えば、化粧用扇風機２０のガード本体２５１などに取り付けることもできる。
また、本実施形態で示したカバーを備える化粧用鏡１０は、化粧用扇風機２０に着脱可能に取り付けられるものを示したが、例えば、該カバーを備える化粧用鏡１０を、扇風機の前面（例えば、ガードの板体やガード本体など）に固定的に設けることによって化粧用扇風機を構成することもできる。